(57)【要約】      （修正有）【課題】絹織物としての品質を落とすことなく、抗菌性、殺菌性を有するマスク用絹織物、それを用いたマスク材料およびマスクを提供する。【解決手段】絹糸からなる経糸と、銀または銀イオンが担持された銀糸と絹糸とを撚り合わせた合撚糸からなる緯糸とを織り合わせたマスク用絹織物を４層重ね、真ん中に不織布を備えたマスク材料５０であって、絹織物の最外層５１、絹織物の外層５２、不織布の中間層５３、絹織物の内層５４、絹織物の最内層５５が順番に設けられている５層構造のものであり、最外層５１および外層５２によって外側二重織物６１を構成しており、内層５４および最内層５５によって内側二重織物６２を構成している。【選択図】図３
0003228292.tif 000002
【実用新案登録請求の範囲】
【請求項１】
経糸および緯糸のいずれにも絹糸を含むマスク用絹織物であって、
前記経糸または緯糸の少なくとも一方が、銀または銀イオンを担持させた銀糸と絹糸とを撚り合わせた合撚糸である、
マスク用絹織物。
【請求項２】
前記経糸または緯糸の一方が、絹糸である、
請求項１記載のマスク用絹織物。
【請求項３】
合撚糸の絹糸の繊度Ｄ１に対する合撚糸の銀糸の繊度Ｄ２の比（Ｄ２／Ｄ１）が１．０以下であり、０．０１以上である、
請求項１または２記載のマスク用絹織物。
【請求項４】
合撚糸の絹糸の繊度Ｄ１に対する合撚糸の銀糸の繊度Ｄ２の比（Ｄ２／Ｄ１）が０．５以下である、
請求項３記載のマスク用絹織物。
【請求項５】
前記銀糸が、合成樹脂フィルムに銀被膜を設けた銀被膜フィルムをスリットすることによって成形された、
請求項１から４いずれか記載のマスク用絹織物。
【請求項６】
ジャガード織機によって織られる絹織物であり、
前記経糸が絹糸であり、
前記緯糸が合撚糸である、
請求項１から５いずれか記載のマスク用絹織物。
【請求項７】
二重織物である、
請求項１から６いずれか記載のマスク用絹織物。
【請求項８】
請求項１から７いずれか記載のマスク用絹織物を複数枚重ねた、
マスク材料。
【請求項９】
請求項７記載のマスク用絹織物を２枚重ねた、
マスク材料。
【請求項１０】
前記マスク用絹織物の間に不織布が設けられた、
請求項８または９記載のマスク材料。
【請求項１１】
前記マスク用絹織物の全て、あるいは、前記マスク用絹織物および不織布の全てを折り曲げてボックスプリーツ加工が施されている、
請求項８から１０いずれか記載のマスク材料。
【請求項１２】
前記不織布は、高密度不織布である、
請求項８から１１いずれか記載のマスク材料。
【請求項１３】
前記不織布は、エンボス加工が施された高密度不織布である、
請求項１２記載のマスク材料。
【請求項１４】
前記エンボス加工が、不織布の全体に均等に設けられた凹部である、
請求項１３記載のマスク材料。
【請求項１５】
少なくとも左右縁および下縁が縫製されて一体化されている、
請求項８から１４いずれか記載のマスク材料。
【請求項１６】
前記マスク材料の上部であって、外層と前記内層との間に、ノーズワイヤが設けられている、
請求項８から１５いずれか記載のマスク材料。
【請求項１７】
請求項８から１６いずれか記載のマスク材料と、その両端に設けられた耳掛け部とからなるマスク。
【考案の詳細な説明】
【技術分野】
【０００１】
本考案は、マスク用絹織物、それを用いたマスク材料およびマスクに関する。
【背景技術】
【０００２】
近年、花粉等の様々なアレルギー症状を抱える患者が増加している。また様々なウイルスによる感染症が毎年のように流行している。そして、このようなアレルギー症状および感染症に対する有効な手段として、マスクの着用が挙げられる。
マスクは、人の顔に装着し、鼻および口を覆うものであり、空気中の微細な浮遊物が体内に取り込まれないようにしたり、口や鼻からの分泌物を周囲にまき散らさないようにする。そのため、花粉等やウイルスを体内に取り込むことを防止し、また、万が一、感染症に罹ったとしても周囲への影響を最小限にとどめることができる。特に、感染症が流行している際、公共の場所において、マスクの着用はエチケットとされつつある。
このようなマスクにおいて、様々な付加価値を付けた製品が開発されている。
特許文献１には、吸湿性および肌触りを目的として、放縮処理が施された生糸からなる絹織物を多重に重ね合わせた衛生マスクが開示されている。
特許文献２には、殺菌性、抗菌性等を目的として、銀メッキを施された繊維からなる銀糸と絹糸によって編み込まれたマスクが開示されている。
【先行技術文献】
【特許文献】
【０００３】
【特許文献１】特開２０００−１１６８０４号公報
【特許文献２】特開２００８−１５０７４１号公報
【考案の概要】
【考案が解決しようとする課題】
【０００４】
しかし、特許文献２のマスクは、編み物のマスクを構成する半分は、天然素材でない銀糸からなっており、絹製のマスクとして、その肌触りや通気性は十分とは言えない。また銀糸は一般的に絹糸より強度が低いため、織機に用いる場合、切断されるおそれがある。
本考案は、絹織物としての品質を落とすことなく、抗菌性、殺菌性を有するマスク用絹織物、それを用いたマスク材料およびマスクを提供することを目的としている。
【課題を解決するための手段】
【０００５】
本考案のマスク用絹織物は、経糸および緯糸のいずれにも絹糸を含むマスク用絹織物であって、前記経糸または緯糸の少なくとも一方が、銀または銀イオンを担持させた銀糸と絹糸とを撚り合わせた合撚糸であることを特徴としている。
本考案のマスク用絹織物であって、前記経糸または緯糸の一方が、絹糸であるものが好ましい。
本考案のマスク用絹織物であって、合撚糸の絹糸の繊度Ｄ１に対する合撚糸の銀糸の繊度Ｄ２の比（Ｄ２／Ｄ１）が１．０以下であり、０．０１以上であるものが好ましい。特に、合撚糸の絹糸の繊度Ｄ１に対する合撚糸の銀糸の繊度Ｄ２の比（Ｄ２／Ｄ１）が０．５以下であるものが好ましい。
本考案のマスク用絹織物であって、前記銀糸が、合成樹脂フィルムに銀被膜を設けた銀被膜フィルムをスリットすることによって成形されたものが好ましい。特に、銀蒸着によって銀被膜が形成されたものが好ましい。
本考案のマスク用絹織物であって、ジャガード織機によって織られる絹織物であり、前記経糸が絹糸であり、前記緯糸が合撚糸であるものが好ましい。
本考案のマスク用絹織物であって、二重織物であるものが好ましい。
【０００６】
本発明のマスク材料は、本発明のマスク用絹織物を複数枚重ねたことを特徴としている。特に、二重織物を２枚重ねたものが好ましい。
本発明のマスク材料であって、前記マスク用絹織物の間に不織布が設けられたものが好ましい。
本考案のマスク材料であって、前記マスク用絹織物の全て、あるいは、前記マスク用絹織物および不織布の全てを折り曲げてボックスプリーツ加工が施されているものが好ましい。
本考案のマスク材料であって、前記不織布は高密度不織布であるものが好ましい。その場合、前記高密度不織布が、エンボス加工を施されたものであるのが好ましい。そして、エンボス加工が、不織布の全体に均等に設けられた凹部であるのが好ましい。
本考案のマスク材料であって、少なくとも左右縁および下縁が縫製されて一体化されているものが好ましい。
本考案のマスク材料であって、前記マスク材料の上部であって、外層と前記内層との間に、ノーズワイヤが設けられているものが好ましい。
本考案のマスクは、本考案のマスク材料と、その両端に設けられた耳掛け部とからなることを特徴としている。
【考案の効果】
【０００７】
本考案のマスク用絹織物、マスク材料およびマスクは、抗菌性、殺菌性を備えており、かつ、１００％絹糸の絹織物に近い肌触り、吸湿性等の品質を備えている。
【図面の簡単な説明】
【０００８】
【図１】本発明のマスク材料の使用状態の概略を示す斜視図である。
【図２】図２ａ、図２ｂは、それぞれ本発明のマスク材料の正面図、背面図である。
【図３】マスク材料の一部断面を示す概略図である。
【図４】中間層を構成する不織布を示す概略図である。
【考案を実施するための形態】
【０００９】
図１のマスク１は、５層構造のマスク本体１０と、その左右に設けられた耳掛け部１１とからなる。表面にボックスプリーツ１３が形成されている。
【００１０】
マスク本体１０は、図２ａ、ｂに示すように、上縁１０ａに折り目が形成されており、左右縁および下縁が縫製されて一体化されている。なお、符号１２ａ、１２ｂ、１２ｃは、それぞれ縫い目を表している。また左右縁の縫い目１２ａ、ｂによって、耳掛け部１１が連結される。縫い目１２ａ、ｂ、ｃは、５層のすべてを貫通するように設けられている。
【００１１】
マスク本体１０の表面（図２ａ）の中央部には、ボックスプリーツ１３（箱ひだ）が形成されている。言い換えれば、マスク本体の裏面（図２ｂ）の中央部の上側に、下方に向かって形成される上側折込部１３ａが形成されており、マスク本体１０の裏面の中央部の下側に、上方に向かって形成される下側折込部１３ｂが形成されている。そして、上側折込部１３ａと下側折込部１３ｂとは、端部が重ならないように中央に位置している。この箱ひだ１３は、マスク本体の全体を折って形成されている。
マスク本体１０の上部には、左右方向に沿って、ノーズワイヤ１４が埋め込まれている。ノーズワイヤ１４は、図３における外側二重織物６１と内側二重織物６２との間に設けられている。ノーズワイヤ１４は、中間層５３の表面側にあっても、裏面側にあってもよく、中間層５３の上方にあってもよい。そして、マスク本体１０の上縁１０ａ（折部）と、それより下方に設けられた左右方向に延びるワイヤ用縫い目１４ａの間に配置される。
ノーズワイヤ１４としては、軟質の金属ワイヤ、あるいは、軟質の合成樹脂などが挙げられる。
【００１２】
次に、マスク本体を構成するマスク材料について、説明する。
マスク材料５０は、経糸および緯糸のいずれにも絹糸を含んだマスク用絹織物を４層重ね、真ん中に不織布を備えたものである。つまり、図３に示すように、絹織物の最外層５１、絹織物の外層５２、不織布の中間層５３、絹織物の内層５４、絹織物の最内層５５が順番に設けられている５層構造のものである。
マスク用絹織物は、絹糸からなる経糸と、銀が担持された銀糸と絹糸とを撚り合わせた合撚糸からなる緯糸とを織り合わせたものである。
銀糸としては、合成樹脂繊維または天然繊維に銀または銀イオン（以下、単に銀という）を担持したものが挙げられる。しかし、合成樹脂繊維の方が、銀を担持させやすく好ましい。このような合成樹脂繊維としては、ポリエステル繊維あるいはポリアミド繊維が挙げられ、特に、ポリエステル繊維が好ましい。また銀を担持させる方法としては、合成樹脂フィルムに銀被膜を設けた銀被膜フィルムをスリットする方法や、合成樹脂繊維に銀メッキを施す方法が挙げられる。しかし、合成樹脂フィルムに銀蒸着を施した銀蒸着フィルムをスリットした銀糸は、生産性が高くて好ましい。なお、この銀糸は、合成樹脂フィルムをスリットして形成しているため、銀糸単独としての強度は弱くなるが、本考案は、銀糸を絹糸と撚り合わせた合撚糸として用いているため、織機に用いるのに十分な強度が得られる。
【００１３】
合撚糸の絹糸の繊度Ｄ１に対する合撚糸の銀糸の繊度Ｄ２の比（Ｄ２／Ｄ１）の上限は、１．０以下、好ましくは０．７５以下、特に好ましくは０．５以下である。繊度Ｄ１に対する繊度Ｄ２の比（Ｄ２／Ｄ１）が１より大きいと、肌触りや吸湿性等の絹織物としての品質が低下する。なお、繊度Ｄ１に対する繊度Ｄ２の比（Ｄ２／Ｄ１）の下限は、０．０１以上、好ましくは０．０５以上、特に好ましくは０．１以上である。繊度Ｄ１に対する繊度Ｄ２の比（Ｄ２／Ｄ１）が０．０１より小さいと銀の効果を十分に得ることができない。例えば、銀糸の繊度を５０デニールとし、絹糸の繊度を１５０デニールとすることなどが挙げられる。
合撚糸としては、１本の銀糸と１本の絹糸とを撚り合わせるのが好ましいが、１本の銀糸に対して複数本の絹糸を撚り合わせるようにしてもよい。その場合、複数本の絹糸の合計の繊度に対する銀糸の繊度が上記数値に含まれるようにするのが好ましい。
【００１４】
各層の織り方は、特に限定されず、平織、綾織、繻子織、あるいはそれらを組み合わせた紋織物が挙げられる。特に、ジャガード織機によって織られた紋織物であることが好ましい。この場合、高い装飾性のマスク用絹織物を生産性高く製造することができる。
このマスク材料５０は、最外層５１および外層５２が外側二重織物６１を形成しており、内層５４および最内層５５が内側二重織物６２を形成している。外側二重織物６１は、最外層５１の緯糸（あるいは経糸）を部分的に外層５２の組織に組み入れることによって、最外層５１と外層５２とを一体化させたものである。なお、外層５２の緯糸（あるいは経糸）を部分的に最外層５１の組織に組み入れてもよい。一方、内側二重織物６２は、最内層５５の緯糸（あるいは経糸）を部分的に内層５４の組織に組み入れることによって、最内層５５と内層５４とを一体化させたものである。なお、内層５４の緯糸（あるいは経糸）を部分的に最内層５５の組織に組み入れてもよい。このような二重織物は、ジャガード織機によって織ることができる。
マスク材料５０は、１枚の二重織物を上下半分に折り重ねることにより、外側二重織物６１および内側二重織物６２としている。そのため、マスク本体１０の上縁１０ａは、２つの二重織物を縫製する縫い目が設けられておらず、その上縁１０ａが肌と接触して不快を与えることがない。
このように構成されているため、マスク本体１０において、外側二重織物６１と内側二重織物６２とで袋構造が形成される。
【００１５】
中間層５３は、不織布からなる。不織布は、用途に応じて適宜変更することができる。しかし、洗濯によって、各繊維のほつれおよび収縮が生じにくい、高密度不織布あるいはエンボス加工が施された不織布を用いるのが好ましい。特に、エンボス加工が施された高密度不織布であるのが好ましい。例えば、図４に示すように、不織布６５の全体に均等な凹部６５ａを設けるのが好ましい。このような高密度不織布、エンボス加工が施された不織布あるいはエンボス加工が施された高密度不織布からなる中間層５３を他の層と縫製によって一体化することにより、例えば、左右縁および下縁が縫製されて一体化することにより、洗濯による絹糸の収縮を不織布が防止する。なお、このマスク本体１０では、さらに、ワイヤ用縫い目１４ｃによっても不織布と他層とは縫製されている。よって、マスク５０の全体の収縮を抑えることができる。
【００１６】
このようなマスク材料５０は、銀を担持させた銀糸と絹糸とを撚り合わせた合撚糸が使用されているため、抗菌性、殺菌性を有し、かつ、絹糸本来に近い肌触り、吸湿性の品質が得られる。特に、マスク材料５０の表面および裏面を二重織物としているため、単に一層の絹織物より肌触りが柔らかい。その一方、マスク全体に重厚感を与え、装飾性も向上する。また絹織物は、洗濯することにより、絹糸が適度な水分を吸収し、装着したときに一層しなやかな肌触りが得られる。
またマスク材料５０は、外層と最外層（および内層と最内層）を二重織物としているため、外層と最外層（および内層と最内層）の面同士の動きがなく、洗濯にしてもよってもほつれにくく、耐久性が高い。一方、実質的に３層（２つの二重織物と不織布）として取り扱うことができるため、縫製が容易にでき、プリーツ加工などの後加工も容易にできる。
花粉やウイルス等の微細な浮遊物については、不織布で吸着させることができる。
【００１７】
マスク１の製造方法の一例を示す。初めに、銀糸と絹糸とを撚り合わせた合撚糸を準備する。次いで、ジャガード織機等の織機において、絹糸を経糸とし、合撚糸を緯糸として二重織物を成形する。このとき、絹糸を含む合撚糸を用いているため、十分な強度が得られ、緯糸が切断しにくい。この二重織物を、マスク本体１０の２倍の大きさ、詳しくは高さ方向に２倍の大きさに裁断する。裁断した二重織物を上下半分に折り重ねる。折り重ねるのと同時に、あるいは、折り重ねた後、２枚の二重織物の間に不織布を挿入する。そして、マスク本体１０の下縁の縫い目１２ｃをいれて不織布を固定し、５層構造とする。なお、裁断縁が露出しないように、下端を織り込んで縫製する。その後、５層全体を折り曲げてプリーツ加工を施す。このとき、最外層５１と外層５２とが外側二重織物６１を構成して一体化されており、内層５４と最内層５５とが内側二重織物６２を構成して一体化されているため、実質的に３枚の布地（二枚の二重絹織物と不織布）を折ってプリーツ加工をすることになり、比較的簡単に加工を行うことができる。その後、左右どちらかの開口からノーズワイヤ１４を挿入し、ワイヤ用縫い目１４ａを入れてノーズワイヤ１４を固定する。なお、ノーズワイヤ１４は、プリーツ加工を施す前に入れて固定してもよい。最後に、耳掛け部１１をマスク材料５０の左縁および右縁の所定の位置に配置させ、左縁および右縁を縫製し、マスク１を製造する。なお、この際、繊維が露出した裁断縁が現れないように内側に織り込んで縫製するのが好ましい。
【００１８】
本考案のマスク材料およびマスクは、上記実施形態に限定されるものではない。
図１のマスク１では、具体的に５層構造のマスク材料５０を挙げたが、マスク材料としては、経糸または緯糸の一方が銀を担持させた銀糸と絹糸とを撚り合わせた合撚糸であり、他方が絹糸である本発明のマスク用絹織物を用いていれば、その構造は特に限定されない。例えば、本発明のマスク用絹織物を重ねる枚数は特に限定されない。また本発明のマスク用絹織物を１枚、つまり、１層構造のマスク材料としてもよいし、本発明のマスク用絹織物１枚を他の織物と重ねてもよい。
図１のマスク１では、マスク材料５０を１枚の二重絹織物を折り畳んで成形していたが、２枚の独立した二重絹織物を重ねてマスク材料を構成してもよい。その場合、上下の折り加工の代わりに、上縁を縫い合わせる縫製が必要となる。
図１のマスク１では、中間層５３である不織布を他の層と共に縫製し、外側二重織物６１と内側二重織物６２との間で固定しているが、固定しなくてもよい。しかし、洗濯等によって繰り返し使用することによって、中間層５３がずれることがあり、固定するのが好ましい。
【符号の説明】
【００１９】
１      マスク
１０    マスク本体
１０ａ  上縁
１１    耳掛け部
１２ａ、１２ｂ、１２ｃ  縫い目
１３ａ  上側折込部
１３ｂ  下側折込部
１４    ノーズワイヤ
１４ａ  ノーズワイヤ用縫い目
５０    マスク材料
５１    最外層
５２    外層
５３    中間層
５４    内層
５５    最内層
６１    外側二重織物
６２    内側二重織物
６５    不織布
６５ａ  凹部
【図１】
0003228292.tif 000003
【図２】
0003228292.tif 000004
【図３】
0003228292.tif 000005
【図４】
0003228292.tif 000006
【手続補正書】
【提出日】令和2年7月10日(2020.7.10)
【手続補正１】
【補正対象書類名】実用新案登録請求の範囲
【補正対象項目名】全文
【補正方法】変更
【補正の内容】
【実用新案登録請求の範囲】
【請求項１】
経糸および緯糸のいずれにも絹糸を含むマスク用絹織物であって、
前記経糸または緯糸の少なくとも一方が、銀または銀イオンを担持させた銀糸と絹糸とを撚り合わせた合撚糸である、
マスク用絹織物。
【請求項２】
前記経糸または緯糸の一方が、絹糸である、
請求項１記載のマスク用絹織物。
【請求項３】
合撚糸の絹糸の繊度Ｄ１に対する合撚糸の銀糸の繊度Ｄ２の比（Ｄ２／Ｄ１）が１．０以下であり、０．０１以上である、
請求項１または２記載のマスク用絹織物。
【請求項４】
合撚糸の絹糸の繊度Ｄ１に対する合撚糸の銀糸の繊度Ｄ２の比（Ｄ２／Ｄ１）が０．５以下である、
請求項３記載のマスク用絹織物。
【請求項５】
前記銀糸が、合成樹脂フィルムに銀被膜を設けた銀被膜フィルムをスリットすることによって成形された、
請求項１から４いずれか記載のマスク用絹織物。
【請求項６】
ジャガード織機によって織られる絹織物であり、
前記経糸が絹糸であり、
前記緯糸が合撚糸である、
請求項１から５いずれか記載のマスク用絹織物。
【請求項７】
二重織物である、
請求項１から６いずれか記載のマスク用絹織物。
【請求項８】
請求項１から７いずれか記載のマスク用絹織物を複数枚重ねた、
マスク材料。
【請求項９】
請求項７記載のマスク用絹織物を２枚重ねた、
マスク材料。
【請求項１０】
前記マスク用絹織物の間に不織布が設けられた、
請求項８または９記載のマスク材料。
【請求項１１】
前記不織布は、高密度不織布である、
請求項１０記載のマスク材料。
【請求項１２】
前記不織布は、エンボス加工が施された高密度不織布である、
請求項１１記載のマスク材料。
【請求項１３】
前記エンボス加工が、不織布の全体に均等に設けられた凹部である、
請求項１２記載のマスク材料。
【請求項１４】
前記マスク用絹織物の全てを折り曲げてボックスプリーツ加工が施されている、
請求項８から１３いずれか記載のマスク材料。
【請求項１５】
前記マスク用絹織物および不織布の全てを折り曲げてボックスプリーツ加工が施されている、
請求項１０から１３いずれか記載のマスク材料。
【請求項１６】
少なくとも左右縁および下縁が縫製されて一体化されている、
請求項８から１５いずれか記載のマスク材料。
【請求項１７】
請求項８から１６いずれか記載のマスク材料と、その両端に設けられた耳掛け部とからなるマスク。